(57)【要約】【課題】  封筒の開封には鋏みやナイフが必要であり、プラスチック包装品の切り開きには鋏みやカッターを必要とし、ホツチキスで止められた包装品や書類の針抜きには専用の針抜き器が必要であり、それぞれ用途別に使用されていて、不便で非能率且つ不経済であった、これを１個の開封具として提供することを課題とする。【解決手段】  把持可能な細長状で適度の厚みとした開封具１で、本体２には、一端にカッター刃４を有し、他の一端にホッチキスの針を抜くための金具１３を付け、鞘３には、鞘のスライド面１５とガイド６を設け、それぞれの用途に適した機能を、一個の開封具として纏めたコンパクトな形に構成された、多機能を備えた開封具である。【選択図】          図１
2005312848.tif 000002
【特許請求の範囲】
【請求項１】
封筒の開封、プラスチック包装品の切り開き、ホッチキスで止められた包装品の針抜き等、各種の包装品を開封するための、多機能を備えた開封具であって、把持可能な細長状で適度の厚みとした本体と、本体の鞘を受け止める部分に被せる鞘とにより構成されている。本体には、その一端の鞘を受け止める部分はほぼ鋭角状をなし、その一辺は本体のスライド面として、鞘のスライド面と連接できるように設けられ、その先端、幅中央に刃長数ｍｍの嘴状のカッター刃を上向きにして、刃とスライド面の角度を約４５度に固定されている、また他の一端の突起の先にはホッチキス針の内径に見合った幅で、適度の強度を有する鋼板の先を鉤状に直角に曲げ、その先端の幅をやや細めとし、厚さを先端に向かって薄く造られた、ホッチキスの針を抜くための金具を取り付けられている。鞘には、前記本体のスライド面に連接する位置に、鞘のスライド面を延長して設けられている、その両側に接して両スライド面の全長にガイドが取り付けられており、そのガイド幅はカッターの刃先が隠れる程度とし、刃先の収まる位置には刃先を見るための窓を空けられている。このように構成され一個の開封具に纏めたものを特徴とする、多機能を備えた開封具。
【発明の詳細な説明】
【技術分野】
【０００１】  この発明は、封筒の開封、プラスチック包装品の切り開き、ホッチキスで止められた包装品の針抜き等、各種の包装品を開封するための、多機能を備えた開封具であって、把持可能な細長状で適度の厚みとした本体と、本体の鞘を受け止める部分に被せる鞘とにより構成されている。本体には、その一端の鞘を受け止める部分はほぼ鋭角状をなし、その一辺は本体のスライド面として、鞘のスライド面と連接できるように設けられ、その先端、幅中央に刃長数ｍｍの嘴状のカッター刃を上向きにして、刃とスライド面の角度を約４５度に固定されている、また本体の他の一端の突起の先にはホッチキス針の内径に見合った幅で、適度の強度を有する鋼板の先を鉤状に直角に曲げ、その先端の幅をやや細めとし、厚さを先端に向かって薄く造られた、ホッチキスの針を抜くための金具を取り付けられている。鞘には、前記本体のスライド面に連接する位置に、鞘のスライド面を延長して設けられている、その両側に接して両スライド面の全長にガイドが取り付けられており、そのガイド幅はカッターの刃先が隠れる程度とし、刃先の収まる位置には刃先を見るための窓を空けられている。このように構成され、それぞれの用途に適した機能を一個の開封具として纏めたコンパクトな形状に関する。
【背景技術】
【０００２】  従来、封筒を手で開封するには、鋏みまたはナイフを使用するのが通常であり、他に専用の開封器具が数多く考案され使用されているが、切り屑が出たり、刃先による危険性が伴ったり、封筒の切り口部分の状態が悪い場合は、開封器具が機能しにくいことがあるなどの欠点が指摘されていた、またプラスチックや段ボールなどでの包装品を切り開く場合には、別に鋏みやカッターが必要であり、ホッチキスで止めた包装品や書類の針抜きには、専用の針抜き器がそれぞれ別個に必要とされていた。これまでにこれらの開封機能を１個の開封具として纏めたものは見あたらなかった。
【発明の開示】
【発明が解決しようとする課題】
【０００３】  従来の技術によれば、前項に示すように封筒を手で開封するには、鋏みやナイフが必要であり、プラスチックや段ボールでの包装品の切り開きには鋏みやカッターを必要とし、ホツチキスで止められた包装品や書類の針抜きには専用の針抜き器が必要で、それぞれ別個に使用されていて、不便で非能率且つ不経済であった、これを１個の開封具として提供することを課題とする。
【課題を解決するための手段】
【０００４】  この課題を解決するために、封筒の開封、プラスチック包装品の切り開き、ホッチキスで止められた包装品の針抜き等、各種の包装品を開封するための、多機能を備えた開封具であって、把持可能な細長状で適度の厚みとした本体と、本体の鞘を受け止める部分に被せる鞘とにより構成されている。本体には、その一端の鞘を受け止める部分は、ほぼ鋭角状をなし、その一辺は本体のスライド面として、鞘のスライド面と連接できるように設けられ、その先端、幅中央に刃長数ｍの嘴状のカッター刃を上向きにして、刃とスライド面の角度を約４５度に固定されている、また本体の他の一端の突起の先にはホッチキス針の内径に見合った幅で、適度の強度を有する鋼板の先を鉤状に直角に曲げ、その先端の幅をやや細めとし、厚さを先端に向かって薄く造られたホッチキスの針を抜くための金具を取り付けられている。次に鞘には、前記本体のスライド面に連接する位置に、鞘のスライド面を延長して設けられている、その両側に接して両スライド面の全長にガイドが取り付けられており、そのガイド幅はカッターの刃先が隠れる程度とし、刃先の収まる位置には刃先を見るための窓を空けられている。このように構成されそれぞれの用途に適した機能を一個の開封具として纏めたコンパクトな形に構成されたものを特徴とする、多機能を備えた開封具である。
【発明の効果】
【０００５】  本発明は、上記構成としたことにより、本体に鞘を差したままの状態で、封筒の開封が容易に、且つ正確に開封することができ、また、鞘を抜いた状態にすれば小型汎用カッターとして広く利用が可能となり、新聞記事の切り抜きにも適し、特にプラスチック包装品の切り開きには便利である、また、段ボール小包などはカッター刃で切り口をつけ、あと本体の他の一端の包装品をこじ開けるための突起で容易に開封ができる。また他の突起にホッチキスの針を抜くための金具を付けたことにより、ホッチキスで止められた封筒や書類の針を簡単に抜くことが出来るようになっている。このように各種包装品の開封に適応する機能を一個の開封具に纏めたことにより、個々に器具を備える必要もなく、且つ取扱も極めて簡単であり、経済的にも負担が軽く非常に便利なものである、またカッター刃は通常は鞘に収められ安全装置で止められているので、鞘が抜け落ちる心配もなく安全を確保することができる。
【実施例】
【０００６】  本発明は封筒を始め各種の包装品の開封機能を一個の、多機能を備えた開封具（以下単に開封具１という）に纏めたもので、一実施例を図面に従って説明すると、図１は多機能を備えた開封具の正面図であり、各機能の配置の関係でたまたま魚形になったものである、図２は本体の正面図である、図６は鞘の断面図である、図７は封筒を開封するときの斜視図である、図９はホッチキス針を抜くための金具１３を使って、針Ｗ４を抜くときの一例を示す側面図を表すものであって、本体２と鞘３とにより構成されている。【０００７】  この開封具１の本体２には、図２に示すように、その一端の鞘を受け止める部分９はほぼ鋭角状をなし、その一辺は本体のスライド面５として、鞘のスライド面１５と連接できるように設けられ、その先端、幅中央に刃長数ｍｍの嘴状のカッター刃４を上向きにして、刃とスライド面の角度を約４５度に固定されている、また本体２の他の一端の突起１２には図８に示すように、ホッチキスの針を抜くための金具１３の先にはホッチキス針Ｗ４の内径に見合った幅で、適度の強度を有する鋼板の先を鉤状に直角に曲げ、その先端の幅をやや細めとし、厚さを先端に向かって薄く造られた、ホッチキスの針を抜くための金具１３が取り付けられている。【０００８】  鞘３には、図５、図６に示すように、前記本体のスライド面５に連接する位置に、鞘のスライド面１５を延長して設けられている、その両側に接して両スライド面の全長にガイド６が取り付けられており、そのガイド幅はカッターの刃４の先が隠れる程度とし、Ｃ−Ｄ部分の拡大図のようにガイド６が設けられ、途中に刃４の刃先が目視出来るような、刃先を見るための窓７を空け、鞘の空洞部１６の下部には鞘の空洞部を支える部分１７を設けるような構成となっている。【０００９】  上記のように形成された開封具１をもって、封筒Ｗ２を開封する場合について説明すると先ず、図７に示すように刃先を見るための窓の部分７のカッター刃４を、封筒の糊しろの角の僅かな隙間Ｗ１に差し込み、スライド面５を封かん部の折り目Ｗ３に沿って直線状に合わせ、矢印の方向に押し進めることにより、鞘のスライド面１５とガイド５の効果により、簡単に且つ正確に開封する事ができる。【００１０】  次に、鞘４を抜いた状態にすれば、本体２の先端のカッター刃４が汎用カッターとして利用が可能となり、新聞記事の切り抜きにも適し、特にプラスチック包装品の切り開きには便利なものである、また段ボールによる小包等は、先ずカッター刃４で封帯部を切り、切り口を包装品をこじ開けるための突起１４を利用すれば容易に開封することがてきる。【００１１】  また、ホッチキスで止められた封筒や書類の針を抜く場合は、本体２のホッチキスの針を抜くための金具１３により、図９に示すような小型つり下げ商品のように、台紙Ｗ５に商品をパックした薄いプラスチックＷ６を、図のようにホッチキスで止めてある抜きにくい針Ｗ４の一例も、このホッチキスの針を抜くための金具１３の先端を針Ｗ４の下に、図のように差し込み、前後又は左右にこじれば簡単に針Ｗ４を抜き取ることができる。【００１２】  なお、本体２のカッター刃４は長さ数ｍｍで短いものであるが、危険なものなので、図２に示す���置に図１１に示すような安全装置１０を設けることにより、鞘３が不用意に抜け落ちることなく、安全が確保されるように設けられている。鞘３を抜くときは安全装置１０の部分を押すと、バネの作用をする部分１８が機能して押し下がるので、安全装置の突起１１が、安全装置を押したときに収まる空洞部１９に下がってはずれ、鞘３をはずすことができる、また鞘３を本体２に収めるときは単に差し込めば、自動的に安全装置の突起を受け止める穴２０に、安全装置の突起１１が収まり、鞘３は抜けることなく安全な状態になるように構成されている。
【図面の簡単な説明】
【００１３】
【図１】多機能を備えた開封具の正面図である。
【図２】本体の正面図である。
【図３】本体の下面図である。
【図４】鞘の正面図である。
【図５】鞘の左側面図及びＣ−Ｄ部分断面の拡大図である
【図６】図５の鞘の左側面図のＡ−Ｂ部分の断面図である。
【図７】図１の開封具により、封筒を開封するときの斜視図である。
【図８】本体の突起１２先端に取り付けた、ホッチキスの針を抜く金具１３の正面図、右側面図、下面図の各拡大図である。
【図９】図８のホッチキスの針を抜くための金具１３を使って針Ｗ４を抜くときの一例を示す側面図である。
【図１０】本体の突起１４の正面図、右側面図、下面図の各拡大図である。
【図１１】安全装置で図２のＥ−Ｆ部分の断面拡大図である。
【符号の説明】
【００１４】        １  多機能を備えた開封具
２  本体
３  鞘
４  カッター刃
５  本体のスライド面
６  ガイド
７  刃先を見るための窓
８  本体と鞘の接合部
９  鞘を受け止める部分
１０  安全装置
１１  安全装置の突起
１２  ホッチキスの針を抜くための金具を付けた突起
１３  ホッチキスの針を抜くための金具
１４  包装品をこじ開けるための突起
１５  鞘のスライド面
１６  鞘の空洞部
１７  鞘の空洞部を支える部分
１８  安全装置のバネの作用をする部分
１９  安全装置を押したときに収まる空洞部
２０  安全装置の突起を受け止める穴
【図１】
2005312848.tif 000003
【図２】
2005312848.tif 000004
【図３】
2005312848.tif 000005
【図４】
2005312848.tif 000006
【図５】
2005312848.tif 000007
【図６】
2005312848.tif 000008
【図７】
2005312848.tif 000009
【図８】
2005312848.tif 000010
【図９】
2005312848.tif 000011
【図１０】
2005312848.tif 000012
【図１１】
2005312848.tif 000013